(57)【要約】【課題】  簡単な操作で所望の呈味の醸造酒を知ることができるようにする。【解決手段】  表示装置１０を備えたコンピュータシステム２０上に構成される醸造酒検索装置。醸造酒の各分析項目の値を醸造酒毎に持つ分析値保持手段３１を有する記憶装置３０と、所定の２つの分析項目に基づく直交座標軸で規定される座標平面１４ａ上に分析値保持手段３１が持つ各醸造酒を対応付けて設定する醸造酒配設手段Ｓ０１と、醸造酒の呈味を表す呈味領域１２ａを座標平面１４ａ上に設定するとともに表示装置１０の画面上に表示する呈味表示手段Ｓ１１と、呈味領域１２ａが表示されている状態で呈味領域１２ａ内の何れかの位置が選択されると当該選択位置に醸造酒配設手段Ｓ０１により対応付けられている醸造酒を分析値保持手段３１から取得して表示装置１０に表示する醸造酒表示手段Ｓ１５とを有する。【選択図】  図２
2020064661.tif 000002
【特許請求の範囲】
【請求項１】
表示装置を備えたコンピュータシステム上に構成される操作入力装置であって、
醸造酒の各分析項目の値を醸造酒毎に持つ分析値保持手段と、醸造酒の各分析項目の値に当該分析項目と分析項目の総数とに応じて定まる所定値を乗算して得た値を検定値として持つ検定値保持手段と、を有する記憶装置と、
所定の２つの分析項目に基づく直交座標軸で規定され、分析値保持手段が持つ各醸造酒が対応付けて設定される選択画面を前記表示装置に表示する手段と、
前記選択画面内の位置が選択されると、当該選択された位置に対応付けられている醸造酒の選択として処理する手段と、
前記選択画面内の位置の選択後、該位置に近い醸造酒の抽出が指示されると、前記選択位置に対応付けられている醸造酒の検定値と他の醸造酒の検定値にＦ検定を実施して、その結果に基づいて前記選択位置に近い醸造酒を抽出する抽出手段と、
を有する操作入力装置。
【請求項２】
表示装置を備えたコンピュータシステムを、請求項１の操作入力装置として機能させるためのプログラム。
【発明の詳細な説明】
【技術分野】
【０００１】
本発明は、官能評価が選択されると、当該選択された官能評価に対応付けられている分析値（客観的な分析値）を持つ醸造酒を検索する装置と、プログラムに関する。
【背景技術】
【０００２】
日本酒の味わいを分かり易く表現するための二次元マップが、幾つかの団体から提供されている。しかし、何れのマップも、マップ上の表現と、実際に日本酒を飲んだときの官能評価との間に、乖離が生ずるという課題が指摘されている。言い換えれば、現状のマップでは、日本酒の味わいを、十分適切に表現できているとは言えない。
【０００３】
日本酒等の醸造酒に関し、味わいを示すこと等に関連する文献としては、特開２００８−１０２６８８号公報（特許文献１；日本酒と料理の相性判定方法，システム，プログラム，記録媒体）や、特開２００４−２４２６４５号公報（特許文献２；日本酒と料理の相性判定システム）、或いは、特開平８−２０５８５０号公報（特許文献３；日本酒の香味特性の表示ラベル）等を挙げることができる。
【先行技術文献】
【特許文献】
【０００４】
【特許文献１】特開２００８−１０２６８８号公報
【特許文献２】特開２００４−２４２６４５号公報
【特許文献３】特開平８−２０５８５０号公報
【発明の概要】
【発明が解決しようとする課題】
【０００５】
従来の手法では、醸造酒の味わいを適切に表現するには不十分である。
その一因は、機械装置を用いて行った分析に基づく味わいの評価と、人が試飲して行った官能評価とに、無視できないズレが生じていることにあると考えられる。
【０００６】
本発明は、上述の事情に鑑みたものであり、簡単な操作で、人による官能評価とも良好に合致する呈味の醸造酒を知り得るようにすることを目的とする。
また、人による官能評価とも良好に合致する呈味の醸造酒の検索に必要な操作を、的確に行い得るようにすることを目的とする。
【課題を解決するための手段】
【０００７】
本発明の構成を、下記［１］〜［８］に記す。なお、この項（［課題を解決するための手段］）と次項（［発明の効果］）に於いて、各符号は理解を容易にするために付したものであり、本発明は符号の構成に限定されない。
【０００８】
［１］構成１
表示装置１０を備えたコンピュータシステム２０上に構成される醸造酒検索装置であって、
醸造酒の各分析項目の値を醸造酒毎に持つ分析値保持手段３１、を有する記憶装置３０と、
所定の２つの分析項目に基づく直交座標軸で規定される座標平面１４ａ上に、前記分析値保持手段３１が持つ各醸造酒を対応付けて設定する醸造酒配設手段Ｓ０１と、
醸造酒の呈味を表す呈味領域１２ａを前記座標平面１４ａ上に設定するとともに前記表示装置１０の画面上に表示する呈味表示手段Ｓ１１と、
前記呈味領域１２ａが表示されている状態で呈味領域１２ａ内の何れかの位置が選択されると、当該選択された位置に前記醸造酒配設手段Ｓ０１により対応付けられている醸造酒を前記分析値保持手段３１から取得して、前記表示装置１０の画面上に表示する醸造酒表示手段Ｓ１５と、
を有することを特徴とする醸造酒検索装置。
【０００９】
呈味領域１２ａ内の何れかの位置の選択は、例えば、タッチパネルであれば指先等での接触であるが、画面がタッチ入力機能を有しない場合は、公知の操作（例えば、マウス操作）による選択でもよい。
呈味領域１２ａ内に表示される呈味としては、例えば、キレ、コク、ふくよか、すっきり、おだやか、を例示することができる。
記憶装置３０は、タブレット等のコンピュータシステムと一体でもよいが、例えば、ネットワークを介して繋がるサーバ等に設けられていてもよい。
醸造酒としては、例えば、日本酒、ワイン、ビールを例示することができる。
分析項目としては、例えば、酸味、旨味、塩味、苦味、渋味、にが味（苦味雑味）、渋味刺激、うま味、旨味コク、ＮＳ（日本酒度）、甘味、コク、キレ、果実味を挙げることができる。
【００１０】
［２］構成２
構成１に於いて、
前記呈味表示手段Ｓ１１は、さらに、前記呈味領域１２ａの表示に重ねて又は前記呈味領域１２ａの表示に添えて、醸造酒の呈味の強弱の方向を表す強弱軸を表示する、
ことを特徴とする醸造酒検索装置。
例えば、醇−淡や、先味−後味の軸は、呈味領域１２ａ内に表示され、辛−甘の軸は呈味領域１２ａに添えて表示されるように構成してもよい。
［３］構成３
構成１又は構成２に於いて、
前記醸造酒は日本酒であり、
前記直交座標軸が基づく所定の２つの分析項目は塩味と日本酒度である、
ことを特徴とする醸造酒検索装置。
直交座標軸の縦軸としては、例えば、キレ（＝日本酒度−３）を用い、横軸としてはコク（＝塩味−日本酒度／１０−１．５）を用いるように構成してもよい。
［４］構成４
構成１〜構成３の何れかに於いて、
前記直交座標軸が基づく所定の２つの分析項目は、任意の２つの分析項目の組み合わせに関し、前記分析値保持手段３１が保持する各醸造酒の分析値を用いて作成した２次元散布図の中でバラツキが最大となる組み合わせとして決定されたものである、
ことを特徴とする醸造酒検索装置。
【００１１】
［５］構成５
構成１〜構成４の何れかに於いて、
前記醸造酒表示手段Ｓ１５は、取得した醸造酒のレーダーチャートを併せて表示する、
ことを特徴とする醸造酒検索装置。
レーダーチャートの軸としては、例えば、にが味、うま味、甘み、コク、キレ、を例示することができる。
［６］構成６
構成１〜構成５の何れかに於いて、
前記醸造酒表示手段Ｓ１５は、前記選択された位置に近い醸造酒を併せて取得して次候補として表示する、
ことを特徴とする醸造酒検索装置。
［７］構成７
構成６に於いて、
前記醸造酒表示手段は、前記選択された位置に近い醸造酒が複数の場合は、それらの中で前記選択された位置に対応付けられている醸造酒との一致度が高い順で醸造酒を次候補として表示する（Ｓ１９）、
ことを特徴とする醸造酒検索装置。
【００１２】
［８］構成８
表示装置１０を備えたコンピュータシステム２０を、構成１〜構成７の何れかの醸造酒検索装置として機能させるためのプログラム。
【発明の効果】
【００１３】
構成１は、表示装置１０を備えたコンピュータシステム２０上に構成される醸造酒検索装置であって、醸造酒の各分析項目の値を醸造酒毎に持つ分析値保持手段３１を有する記憶装置３０と、所定の２つの分析項目に基づく直交座標軸で規定される座標平面１４ａ上に前記分析値保持手段３１が持つ各醸造酒を対応付けて設定する醸造酒配設手段Ｓ０１と、醸造酒の呈味を表す呈味領域１２ａを前記座標平面１４ａ上に設定するとともに前記表示装置１０の画面上に表示する呈味表示手段Ｓ１１と、前記呈味領域１２ａが表示されている状態で呈味領域１２ａ内の何れかの位置が選択されると当該選択された位置に前記醸造酒配設手段Ｓ０１により対応付けられている醸造酒を前記分析値保持手段３１から取得して前記表示装置１０の画面上に表示する醸造酒表示手段Ｓ１５とを有する醸造酒検索装置であるため、呈味領域１２ａ内に表示されている呈味の中から選択するという簡単な操作で、その呈味の醸造酒を表示させることができる。つまり、簡単な操作で所望の呈味の醸造酒を知ることができる。
構成２は、構成１に於いて、前記呈味表示手段Ｓ１１は、さらに、前記呈味領域１２ａの表示に重ねて又は前記呈味領域１２ａの表示に添えて、醸造酒の呈味の強弱の方向を表す強弱軸を表示する醸造酒検索装置であるため、所望の呈味として選択すべき位置を的確に知ることができる。
構成３は、構成１又は構成２に於いて、前記醸造酒は日本酒であり、前記直交座標軸が基づく所定の２つの分析項目は塩味と日本酒度である醸造酒検索装置であるため、日本酒の特質に即して、さらに、装置分析による客観性をより向上させて、構成１や２の効果を得ることができる。
構成４は、構成１〜構成３の何れかに於いて、前記直交座標軸が基づく所定の２つの分析項目は、任意の２つの分析項目の組み合わせに関し、前記分析値保持手段３１が保持する各醸造酒の分析値を用いて作成した２次元散布図の中でバラツキが最大となる組み合わせとして決定されている醸造酒検索装置であるため、各醸造酒が、より一層詳細にプロットされており、このため、所望の呈味の醸造酒を、より的確に把握して選択できる効果がある。
構成５は、構成１〜構成４の何れかに於いて、前記醸造酒表示手段Ｓ１５は、取得した醸造酒のレーダーチャートを併せて表示する醸造酒検索装置であるため、選択した醸造酒の特徴を把握し易くなる効果がある。
構成６は、構成１〜構成４の何れかに於いて、前記醸造酒表示手段Ｓ１５は、前記選択された位置に近い醸造酒を併せて取得して次候補として表示する醸造酒検索装置であるため、比較的大雑把に選択（位置の選択）をした場合であっても、所望の呈味の醸造酒を知ることができる。
構成７は、構成６に於いて、前記醸造酒表示手段は、前記選択された位置に近い醸造酒が複数の場合は、それらの中で前記選択された位置に対応付けられている醸造酒との一致度が高い順で醸造酒を次候補として表示する（Ｓ１９）醸造酒検索装置であるため、所望の呈味の醸造酒との差異が小さな順に、次候補の醸造酒を知ることができる。
構成８は、表示装置１０を備えたコンピュータシステム２０を、構成１〜構成７の何れかの醸造酒検索装置として機能させるためのプログラムであるため、コンピュータシステム２０を、構成１〜構成７の醸造酒検索装置として機能させることができる。
【図面の簡単な説明】
【００１４】
【図１】呈味領域と座標平面とを紐付けする様子を示す説明図。
【図２】実施の形態の醸造酒検索装置のハード構成を示すブロック図。
【図３】呈味領域内の位置が選択されると、選択位置に応じた醸造酒（日本酒）をレーダーチャートとともに表示する様子を示す説明図。
【図４】座標平面上に呈味領域を重ねて成る味わいマップの作成に至る考え方の説明図。
【図５】醸造酒詮索処理を示すフローチャート。
【図６】レーダーチャートの軸の原点と最大値とを決めるべく、データベースから取得したデータを処理して成るテーブルの説明図。
【図７】醸造酒（日本酒）の一致度を求める（Ｓ１９）べく、データベースから取得した２つの醸造酒のデータを処理する際に用いるテーブルの説明図。
【図８】醸造酒（ワイン）の一致度を求めるべく、データベースから取得した２つの醸造酒のデータを処理する際に用いるテーブルの説明図。
【図９】データベース３１内の日本酒のテーブルを示す説明図（ａ）とワイン（スパークリング）のテーブルを示す説明図（ｂ）。
【図１０】データベース３１内の白ワインのテーブルを示す説明図（ａ）と、赤ワインのテーブルを示す説明図（ｂ）。
【図１１】データベース３１内のロゼワインのテーブルを示す説明図（ａ）と、ビールのテーブルを示す説明図（ｂ）。
【図１２】料理と日本酒の相性を調べる処理に於ける呈味領域１２ａ（味わいマップ）の表示態様を示す説明図。
【図１３】料理と日本酒の相性を調べる処理手順を示すフローチャート。
【図１４】料理と日本酒の相性を調べる処理で用いる、データベース３１内のテーブルの説明図。
【図１５】料理とワインの相性を調べる処理で用いる、データベース３１内のテーブルの説明図。
【発明を実施するための形態】
【００１５】
図面を参照して、本発明の実施の形態を説明する。
実施の形態の醸造酒検索装置は、図２に示すように、タッチパネル（表示装置兼入力装置）１０を備えたコンピュータシステム２０上で実現される。換言すれば、コンピュータシステム２０には、該システム２０を醸造酒検索装置として機能させるためのプログラムがインストールされており、適宜の操作入力により起動されて、図５に例示する処理が実行される。記憶装置３０は、図示の例ではコンピュータシステム２０内に組み込まれているが、これは例示であり、例えば、通信装置６０経由でネットワークを介して繋がるサーバ等に設けられていても良い。記憶装置３０内のデータベース３１には、日本酒、各種のワイン、ビール等の醸造酒の各種のデータ（図９〜図１１に例示）が個々の醸造酒別に保持されており、醸造酒検索機能に於いて適宜に読み出されて処理に供される。処理は、ＣＰＵ４１やメモリ４３等を備えた制御装置４０により実行される。その他、音声出力用のスピーカ５０等も搭載されている。なお、コンピュータシステム２０の構成は、図示の例に限定されず、醸造酒検索装置としての機能を実現できる構成であればよい。コンピュータシステム２０の具体例としては、例えば、タブレット、スマートフォン、ノートパソコン、デスクトップパソコン等の公知の機器を挙げることができる。また、図９〜図１１に例示するデータベース３１内のデータ項目は例示であり、図示の項目以外にも、各種の項目のデータが保持されている。例えば、醸造酒の画像、名称、容量、製造元、説明文、価格（改訂可能）等、である。当然ながら、新たな醸造酒を適宜に追加可能であり、既存の醸造酒を適宜に削除可能である。
【００１６】
（１）醸造酒（日本酒）検索機能：
図１に示すように、タッチパネル１０の画面領域（表示領域）１２内に、醸造酒（日本酒）の呈味（例：キレ、コク、ふくよか、すっきり、おだやか）を表示するための呈味領域１２ａが設定される。この呈味領域１２ａは、タッチパネル１０に於いてタッチ操作が検出される領域（検出領域）１４内の座標平面１４ａの領域と合致されている。
【００１７】
醸造酒検索機能が起動された状態で、換言すれば、図５の醸造酒検索処理が実行されている状態で、タッチパネル１０の呈味領域１２ａ内の任意の位置がタッチされる（選択される）と、当該位置に対応付けられている醸造酒のデータがデータベース３１から読み出されて、タッチパネル１０の表示領域１２内に表示される（Ｓ１５）。例えば、図３に例示するように、当該の醸造酒の画像及び名称や、当該の醸造酒の味の特徴を示すレーダーチャートが表示される。図３の例では、呈味「キレ」内の或る位置が選択された場合（図３（ａ））と、呈味「ふくよか」内の或る位置が選択された場合（図３（ｂ））とが示されている。なお、選択された醸造酒の表示態様は、図３の例（画像と名称，レーダーチャート）に限定されない。例えば、当該醸造酒の説明文や販売価格等を表示するように、適宜に設定してよいことは勿論である。
【００１８】
また、ユーザが所望の位置を的確に選択（タッチ）できるように、呈味領域１２ａの表示と併せて、呈味の強弱の方向性も表示される。例えば、図３の例では、醇と淡の方向性や、先味と後味の方向性が、呈味領域１２ａ内に表示されている。また、甘と辛の方向性が、呈味領域１２ａに沿って表示されている。
【００１９】
なお、図３の例では、呈味領域１２ａ内の１つの位置の選択に応じて１種の醸造酒が表示されているが、選択された位置及びその近辺位置の複数種の醸造酒を同時に、又は、次候補を指示する入力操作等に応じて順番に、表示するようにしてもよい。
また、次候補を指示する入力操作に応じて（Ｓ１７）表示する場合や、所定の時間間隔を空けて順番に表示する場合には、呈味の特性が、選択された位置の醸造酒と近い（類似する）順に表示されるように、表示の順番を決めてもよい。
【００２０】
呈味の特性の近さ（類似する度合）を調べる手法を、図７に示す。
醸造酒の味わいは複数種類の分析項目の値によって決まるのであるが、各分析項目の値が味わいに対して独立に作用するのではなく、分析項目間の相互作用もまた、味わいに寄与していると考えられる。このため、２種の醸造酒に関して呈味の特性の近さ（類似する度合）を調べる場合は、分析項目間の相互作用をも考慮する必要がある。
【００２１】
本実施の形態では、２種の醸造酒間の呈味の近さ（類似度合）を、Ｆ検定によって調べている。また、このＦ検定では、各分析項目の「項目値」に適切な「重み値」を乗算した値（重み付き項目値）を、項目値に代えて用いている。この重み値は、Ｆ検定による判定結果が、多数（１０１名）のパネリストの官能による判定結果と合致するように、試行錯誤によって決定されたものである。なお、乗算する「重み値」は、Ｆ検定の対象とする全分析項目の「重み値」の和で除算した値である。例えば、図７の例であれば、酸味の「重み値」は「１」であり、「全重み値の和」は「１８」であるため、「１／１８」を乗算して用いている。
図７は日本酒の場合であるが、図８にはワインの場合を示す。ワインの場合も日本酒と同様にして、重み値を乗算した値を用いている。
【００２２】
（２）レーダーチャート：
図３では、選択された醸造酒（日本酒）の画像や名称とともに、当該醸造酒の呈味の特性を分析項目別に図解するレーダーチャートを併せて表示している。
【００２３】
このレーダーチャートでは、７２°の等間隔で設けられている５本の各放射軸を、それぞれ長さ方向で４等分し、最外側位置に調整後の最大値を設定するとともに、チャート中心から１目盛目の位置に調整後の最小値を設定している。即ち、調整後の最小値は、チャート中心位置ではなく、チャート中心から１目盛目の位置に置いている。
【００２４】
上記に於いて、調整後の最大値とは、データベース３１に保持されている全日本酒の当該の分析項目に関し、項目値の最大値側から例えば２０％のデータをカットした後の最大値であり、調整後の最小値とは、同様に最小値側から例えば２０％のデータをカットした後の最小値である。なお、カットのレベルは醸造酒の種類（日本酒，スパークリングワイン，白ワイン，赤ワイン，ロゼワイン，ビール）に応じて、及び、分析項目に応じて、その分布度合を考慮して適切に決めている。
【００２５】
例えば、日本酒では、分析項目「甘み」に関して、最大値側から２０％のデータをカットした後のデータの最大値を調整後の最大値とし、最小値側から同じく２０％のデータをカットした後のデータの最小値を調整後の最小値として採用しているのに対して、白ワインでは、分析項目「甘み」に関して、最大値側から１２％のデータをカットした後のデータの最大値を調整後の最大値とし、最小値側から２０％のデータをカットした後のデータの最小値を調整後の最小値として採用している。即ち、白ワインでは、分析項目「甘み」に関し、最大値側と最小値側とでカットのレベルを異ならせている。
【００２６】
また、このレーダーチャートでは、調整後の最大値は、放射軸の最外側の位置に置いているが、調整後の最小値は、チャートの中心位置ではなく、中心から１目盛目の位置（中心から放射軸の外側方向へ１／４の位置）に置いている。このようにすることで、選択された醸造酒の各分析項目の項目値が、全体の中で、どのような位置に在るかを、視覚的に把握し易くしているのである。
【００２７】
（３）味わいマップ（呈味領域１２ａと座標平面１４ａ）：
日本酒の味わいを分かり易く表現するための二次元マップが、幾つかの団体から提供されている。しかし、何れのマップも、マップ上の表現と、実際に日本酒を飲んだときの官能評価との間に、乖離が生ずるという課題が指摘されている。
そこで、塩味、酸味、旨味、苦味、渋味を測定可能な味覚センサに着目し、味覚センサによる検出結果と、実際に飲んだときの官能評価とを組み合わせることを試み、試験・検討を重ねて、良好な結果を得た。
前述の呈味領域１２ａと座標平面１４ａの構成は、この結果を利用している。
【００２８】
味覚センサ（ＴＳ−５０００Ｚ：株式会社インテリジェントセンサーテクノロジー）の測定では、測定対象のサンプルを相対的に評価するための対照サンプルが必要である。このため、日本酒度（ＮＳ）、総酸度、アミノ酸度、アルコール度数が一般的な日本酒に近い値を示す合成清酒を調整し、これと、多数の日本酒サンプルを相対的に測定した。
【００２９】
次に、測定結果から、二次元散布図を作成した。この二次元散布図の横軸−縦軸としては、散布図のバラツキが最も大きくなる分析項目（日本酒度，塩味）の組み合わせを採用した。詳しくは、横軸に「塩味−日本酒度／１０−１．５」、縦軸に「日本酒度−３」を用い、この平面に、測定結果をプロットした。その結果を、図４（ａ）に示す。横軸−縦軸を上述のように設定したことにより、測定対象とした多数の日本酒は、原点を中心として、各象限に偏り無く良好に分布している。また、各日本酒は、より一層、詳細にプロットされている。
【００３０】
このように良好に分布している中からＡ〜Ｊの１０種のサンプルを選び、１０１名のパネリストの試飲により、官能評価を行った。具体的には、各サンプルについて、各パネリストに、「まるみのある」「ふくらみのある」「コクのある」「厚みのある」「先味しっかり」「後味しっかり」「おだやか」「ソフトな」「軽快な」「サラリとした」「すっきりとした」「爽やかな」「キレのよい」の中から適した評価語句を選択してもらい、各サンプルに於ける各語句の選択頻度を求めた。その結果を、図４（ｂ）に示す。
【００３１】
次に、各評価言語の関連性を、クラスター解析により調べた。その結果、各評価言語は４個のクラスターに分かれた。その結果を、図４（ｃ）に示す。
即ち、図示のように、
（ａ）「コクのある」「後味しっかり」「厚みのある」「ふくらみのある」
（ｂ）「まるみのある」「おだやか」
（ｃ）「先味しっかり」「爽やかな」「ソフトな」「キレのよい」
（ｄ）「すっきりとした」「軽快な」「サラリとした」
の、４個のクラスターに分かれた。
【００３２】
また、Ａ〜Ｊのサンプルの中で同じクラスターに属するサンプルは、前述した二次元散布図中で近い位置に在ることが分かった。
そこで、上記（ａ）〜（ｄ）のクラスターに、
（ａ）コク
（ｂ）ふくよか
（ｃ）キレ
（ｄ）すっきり
の語句を設定し、二次元散布図中で当該のクラスターが位置する領域の名称として付与した。さらに、専門のパネリストによる官能評価を行い、中心部の領域に、別途、
（ｄ）おだやか
の名称を付与した。
このようにして、図４（ｄ）に示す領域図が得られ、これに基づき、前述の呈味領域１２ａと座標平面１４ａが構成された。
【００３３】
この呈味領域１２ａと座標平面１４ａを備えた構成は、例えば、
所定の２つの分析項目に基づく直交座標軸で規定され、分析値保持手段３１が持つ各醸造酒が対応付けて設定される座標平面１４ａと、
前記座標平面１４ａ上に設定され、醸造酒の各呈味を表す小領域から成り、表示装置１０の画面上に表示される呈味領域１２ａと、
前記呈味領域１２ａ内の位置が選択されると、当該選択された位置に対応付けられている醸造酒の選択として処理する手段と、
を有する操作入力装置、
として、表現され得る。この操作入力装置は、所望の呈味の醸造酒を、直感的に選択したいというような用途に用いることができる。
【００３４】
（４）醸造酒と料理の相性：
料理と醸造酒には、相性がある。
例えば、野菜の煮物は、純米大吟醸酒又は純米吟醸酒又は吟醸酒であって、且つ、図１２に示す呈味領域１２ａ内のＸ軸方向「２」且つＹ軸方向「２」又は「３」の領域に位置する日本酒と相性が良い。つまり、「ふくよか」の中央付近の領域や、「おだやか」の領域に位置する日本酒との相性が良い（図１４・質問２の項目下「煮物」参照）。なお、図１４に於いて、ＪＤは純米大吟醸酒、ＪＧは純米吟醸酒、Ｊは純米酒、を意味する。
【００３５】
このように、料理と日本酒には相性があり、且つ、相性の良さは、日本酒の種類（純米大吟醸酒／純米吟醸酒／純米酒／大吟醸酒／吟醸酒／本醸造酒／普通酒）と、呈味領域１２ａ内の位置を用いて規定できる。このため、データベース３１に保持されている日本酒が対応付けられる座標平面１４ａ上に、日本酒の味わいを示す呈味領域１２ａを表示する前述の構成を用いると、料理に適した日本酒を比較的容易に示すことができ、また、日本酒に適した料理を比較的容易に示すことができる。
【００３６】
料理と日本酒の相性を対応付けるテーブルを、図１４に示す。図１４に於いて、ＪＤは純米大吟醸酒、ＪＧは純米吟醸酒、Ｊは純米酒、Ｄは大吟醸酒、Ｇは吟醸酒、Ｈは本醸造酒、Ｆは普通酒である。また、味わいマップとは、呈味領域１２ａの表示を意味する。また、味わいマップＸ軸項目下の数値や、Ｙ軸項目下の数値は、当該の軸方向での相性の良い範囲を示す（図１２参照）。
【００３７】
図１４内に示すように、例えば、「野菜のおかず」の一例である「サラダ又はおひたし又は和え物」は、「普通酒Ｆ又は本醸造酒Ｈ又は純米酒Ｊ」であって、且つ、呈味領域１２ａ内の「Ｘ軸方向１又は２の範囲、且つ、Ｙ軸方向２の範囲の領域（「すっきり」の中央部付近の領域、及び、「おだやか」の領域）に位置する日本酒が適している。この例からも分かるように、順を追って質問（階層構造の質問）を行い、回答に応じて料理（所望の料理）を特定すると、当該特定された料理との相性が良い日本酒の範囲（呈味領域１２ａ内の位置の範囲）を特定することができる。また、当該特定された範囲内に位置する日本酒の位置を表示して選択を促し、選択された日本酒を表示することができる。
【００３８】
図１３に、そのような処理の一例を示す。
図１３では、階層的な質問により料理を絞り込み、回答者の所望の料理を特定する（Ｓ６１）。次に、当該絞り込まれた料理に対応する日本酒の種類（純米大吟醸酒／純米吟醸酒／純米酒／大吟醸酒／吟醸酒／本醸造酒／普通酒）と、呈味領域１２ａ内での位置の範囲とを、図１４に示す「料理−日本酒テーブル」を参照して特定し（Ｓ６３）、当該特定した種類・位置範囲の日本酒を、データベース３１内の日本酒のテーブル（図９（ａ）参照）から検索する（Ｓ６５）。なお、図９（ａ）には、日本酒の種類の項目や、呈味領域１２ａ内での位置の項目は明示されていないが、当然に、これらのデータが、各日本酒にについて保持されているものとする。
【００３９】
こうして、絞り込まれた料理に対応付けられる日本酒が特定されると、各日本酒の位置が、呈味領域１２ａ上に表示される（Ｓ６７）。図１２内の下方側の図に、その様子を示す。なお、このように各日本酒の位置を示す表示は一例を示すものであり、このような表示に代えて、例えば、特定された範囲（例：「Ｘ軸方向１又は２の範囲、且つ、Ｙ軸方向２の範囲の領域）のみを表示し、他の領域を非表示にする等して、相性の良い領域を明示するようにしてもよい。
【００４０】
この表示（Ｓ６７での表示）に応じて、回答者が所望の日本酒を選択すると（Ｓ１３；ＹＥＳ）、以下、図５と同様に、当該選択された日本酒の情報を表示する処理（Ｓ１５以降の処理）に移行する。
【００４１】
上記は、日本酒に関して料理との相性を調べて表示するものであるが、他の醸造酒についても、同様に処理することができる。ワインに関して同様の処理を行う場合に用いられるテーブルの例を、図１５に示す。なお、ワインでは、日本酒での「純米大吟醸酒／純米吟醸酒／純米酒／大吟醸酒／吟醸酒／本醸造酒／普通酒」に代えて、色（スパークリングワイン及び白ワインＧ／スパークリングワイン及び白ワインＷ／スパークリングワイン及び白ワインＹ／スパークリングワイン及び赤ワインＲ／スパークリングワイン及び赤ワインＢ／スパークリングワイン及びロゼワインＲｏ；（注）スパークリングワインは各色に該当するものがある）が、用いられる。
【００４２】
このように、料理から相性の良い醸造酒を調べて、又は、醸造酒から相性の良い料理を調べて、その結果を、呈味領域１２ａに表示等する構成は、例えば、
表示装置１０を備えたコンピュータシステム２０上に構成され、料理と醸造酒との相性を調べる相性判別装置であって、
醸造酒の各分析項目の値を醸造酒毎に持つ分析値保持手段３１、及び、料理と相性の良い醸造酒の属性を料理別に保持する相性保持手段、を有する記憶装置３０と、
所定の２つの分析項目に基づく直交座標軸で規定される座標平面１４ａ上に、前記分析値保持手段３１が持つ各醸造酒を対応付けて設定する醸造酒配設手段Ｓ０１と、
醸造酒の呈味を表す呈味領域１２ａを前記座標平面１４ａ上に設定するとともに前記表示装置１０の画面上に表示する呈味表示手段Ｓ１１と、
調査対象の料理が選択されると、当該選択された料理と相性の良い属性を前記相性保持手段から取得するとともに、当該属性により特定される各醸造酒を前記分析値保持手段３１から取得して、前記表示装置１０の画面上に表示する醸造酒表示手段と、
を有することを特徴とする相性判別装置、
として、表現され得る。
醸造酒側から相性の良い料理を調べる場合も、略同様である。
【符号の説明】
【００４３】
１０  タッチパネル
１２  タッチパネル１０の画面領域（表示領域）
１２ａ  呈味領域
１４  タッチパネル１０のタッチ操作の検出領域
１４ａ  座標平面
２０  タブレット
３０  記憶装置
３１  データベースＤＢ
４０  制御装置
４１  ＣＰＵ
４３  メモリ
５０  スピーカ
６０  通信装置
【図１】
2020064661.tif 000003
【図２】
2020064661.tif 000004
【図３】
2020064661.tif 000005
【図４】
2020064661.tif 000006
【図５】
2020064661.tif 000007
【図６】
2020064661.tif 000008
【図７】
2020064661.tif 000009
【図８】
2020064661.tif 000010
【図９】
2020064661.tif 000011
【図１０】
2020064661.tif 000012
【図１１】
2020064661.tif 000013
【図１２】
2020064661.tif 000014
【図１３】
2020064661.tif 000015
【図１４】
2020064661.tif 000016
【図１５】
2020064661.tif 000017